(57)【要約】      （修正有）【課題】海辺での結婚式や写真撮影等の際に新婦が着用したまま海に入っても損傷しにくい上、クリーニングにより容易に再生可能なウェディング用衣服を提供する。【解決手段】ウェディングドレスは、内側に着用されるドレス内着２と、その内着に対して着脱可能な外着であるドレススカートとによって構成され、そして、ドレス内着は、内部に気泡（独立気泡）を含んだクロロプレンゴムからなる下地４の上に、ポリウレタン弾性繊維（所謂、スパンデックス）からなる白色の織布５を積層した二重構造を有する素材によって、上半身および下半身の上部（腰の部分）を覆う形状に縫製されている。【選択図】図２
2019065451.tif 000002
【特許請求の範囲】
【請求項１】
複数の部分に分割可能になっており、少なくとも一つの部分が防水性の素材によって形成されていることを特徴とするウェディング用衣服。
【請求項２】
内側に着用される内着と、その内着に対して着脱可能な外着とからなり、
前記内着が防水性の素材によって形成されていることを特徴とする請求項１に記載のウェディング用衣服。
【請求項３】
前記防水性の素材が、クロロプレンゴム製のシートの表層に、主としてポリウレタン弾性繊維からなる織布を積層したものであることを特徴とする請求項１、または請求項２に記載のウェディング用衣服。
【発明の詳細な説明】
【技術分野】
【０００１】
本発明は、結婚式や写真撮影等において新婦が着用するウェディングドレス、および、新郎が着用するウェディングスーツ（上衣および／または下衣）等のウェディング用衣服に関するものである。
【背景技術】
【０００２】
近年の結婚式は多様化しており、それに伴って様々なロケーションで結婚式や式前後の写真撮影を行うケースが増えている。殊に、海辺や船上で、結婚式や写真撮影を行うことが多くなっており、そのように海辺で結婚式や写真撮影を行う場合には、新婦が気持ちを高揚させてウェディングドレスを着用したまま、海の中へ入ってしまったり、場合によっては、泳いでしまったりすることもある。また、新婦が、新郎への愛情を示すためにウェディングドレスを意図的に汚す“トラッシュ・ザ・ドレス”という儀式の一環として、ウェディングドレスを着用したまま、海の中に入ってしまうこともある。
【０００３】
一方、ウェディングドレスとしては、従来から、シルク(絹)、綿等の天然繊維、ナイロン、ポリウレタン、アセテート、ポリエステル等の合成繊維等によって、サテン、チュール、オーガンジー、シャンタン、タフタ、ジョーゼット、シフォン、ジャガード等の各種の形態に織り込まれた織布からなるものが広く用いられているが（特許文献１）、防水性を考慮したものは知られていない。
【先行技術文献】
【特許文献】
【０００４】
【特許文献１】特開平６−３１６８０１号公報
【発明の概要】
【発明が解決しようとする課題】
【０００５】
しかしながら、上記した防水性を有さない天然繊維や合成繊維からなるウェディングドレスは、一旦海水に浸すと乾かしても元の形状に復元しにくい上、海水や砂で汚れてしまった後には、浸水前の綺麗な状態には戻りにくい。加えて、防水性を有さない天然繊維や合成繊維からなるウェディングドレスは、そのまま長時間に亘って海水に浸かると、海水によって繊維が膨潤することに起因して損傷してしまう事態も起こり得る。
【０００６】
本発明の目的は、海辺での結婚式や写真撮影等の際に新婦が着用したまま海に入っても損傷しにくい上、クリーニングにより容易に再生可能なウェディング用衣服（ウェディングドレスおよびウェディングスーツ）を提供することにある。
【課題を解決するための手段】
【０００７】
上記課題を解決するために、請求項１に記載された発明は、複数の部分に分割可能になっており、少なくとも一つの部分が防水性の素材によって形成されていることを特徴とするウェディング用衣服（ウェディングドレスおよびウェディングスーツ）である。
【０００８】
請求項２に記載された発明は、請求項１に記載された発明において、内側に着用される内着と、その内着に対して着脱可能な外着とからなり、前記内着が防水性の素材によって形成されていることを特徴とするものである。
【０００９】
請求項３に記載された発明は、請求項１または請求項２に記載された発明において、前記防水性の素材が、クロロプレンゴム製のシートの表層に、主としてポリウレタン弾性繊維からなる織布を積層したものであることを特徴とするものである。なお、主としてポリウレタン弾性繊維からなる織布とは、織布を構成する素材の概ね６０ｗｔ％以上がポリウレタン弾性繊維であることを意味する。
【発明の効果】
【００１０】
請求項１に記載のウェディング用衣服は、複数の部分に分割可能になっており、少なくとも一つの部分が防水性の素材によって形成されているため、海辺での結婚式や写真撮影等において新婦が着用したまま海に入った場合でも、損傷しにくく、洗い易いため、繰り返して使用することができる。
【００１１】
請求項２に記載のウェディング用衣服は、内側に着用される内着と、その内着に対して着脱可能な外着とからなり、内着が防水性の素材によって形成されているため、新婦が外着を取り外して内着のみで海に入れば、外着の損傷を防止することができるので、より容易に繰り返し使用に供することができる。また、外着のデザインを変えるだけで、容易にデザインのラインナップを増やすことができる。
【００１２】
請求項３に記載のウェディング用衣服は、防水性の素材が、クロロプレンゴム製のシート（ウェットスーツと同一素材）の表層に、主としてポリウレタン弾性繊維からなる織布を積層したものであり、素材の防水性が高いので、着用したまま海の中で泳いだりしてもきわめて損傷しにくい上、着用したまま長時間に亘って水に浸かった場合でも、体温の低下を招きにくい。
【図面の簡単な説明】
【００１３】
【図１】ウェディングドレスを示す説明図（正面図）である。
【図２】ドレス内着の素材の断面を拡大して示す説明図である。
【図３】ドレス内着を示す説明図（背面図）である。
【図４】ドレススカート（内面）を示す説明図である。
【図５】ウェディングドレスを着用した状態を示す説明図である。
【図６】ウェディングドレスを着用した新婦が海に入った様子を示す説明図である。
【発明を実施するための形態】
【００１４】
＜ウェディング用衣服の構造＞
以下、本発明に係るウェディング用衣服の一実施形態であるウェディングドレスについて、図面に基づいて詳細に説明する。図１は、本発明に係るウェディング用衣服の一実施形態であるウェディングドレスを示したものであり、ウェディングドレス１は、内側に着用される内着であるドレス内着２と、その内着に対して着脱可能な外着であるドレススカート３とによって構成されている。
【００１５】
ドレス内着２は、防水性の素材によって、上半身および下半身の上部（腰の部分）を覆う形状に縫製されている。図２は、ドレス内着２の素材（防水性の素材）の断面の様子を示したものであり、ドレス内着２の素材は、内部に気泡（独立気泡）を含んだクロロプレンゴムからなる下地４の上に、ポリウレタン弾性繊維（所謂、スパンデックス）からなる白色の織布５を積層した二重構造になっている。
【００１６】
そして、ドレス内着２は、上半身の部分がノースリーブ状になっており、図３の如く、背面の中央に、ファスナー６が縫着されている。一方、ドレス内着２の下半身の部分は、ショートパンツ状になっており、両脚部を挿通させるための２つの挿通口７，７の周囲の内側には、大きな隙間を形成しないように帯状のゴム（図示せず）が環状に縫着されている。さらに、上半身と下半身との境界部分には、ドレススカート３を係着させるための一定幅の被係合部材（雌型の面ファスナー）８が縫着されている。また、図示はしていないが、ドレス内着２は、それのみでも華やかな雰囲気を醸し出すことができるように、ポリウレタン弾性繊維からなる織布５に多くの刺繍や装飾が施されている。
【００１７】
一方、図４は、ドレススカート３を示したものであり、ドレススカート３は、ポリエステル繊維製の白色のチュールレース布地（約３０デニールのポリエステル繊維を六角形の網目を織り出すようにメッシュ状に織り込んだ布地）によって、Ａラインタイプのシルエットを有する前面を開口したパレオスカート状に縫製されている。そして、前側の端縁（開口部を形成した端縁）に、幅の広いプリーツが形成された状態になっている。また、上端の内側には、ドレス内着２の面ファスナー（雌型）と係合させるための一定幅の係合部材（雄型の面ファスナー）９が縫着されている。
【００１８】
＜ウェディング用衣服の使用方法＞
図５は、上記の如く構成されたウェディングドレス１を新婦が着用した状態を示したものであり、ウェディングドレス１を着用する際には、まず、ドレス内着２を装着する。すなわち、ドレス内着２の背面のファスナー６を引き下げて、下端際の２つの挿通口７，７に両脚部を挿通させ、上部によって上半身を被覆させた状態で、ファスナー６を引き上げる。しかる後、ドレススカート３の上端の係合部材（雄型の面ファスナー）９をドレス内着２の被係合部材（雌型の面ファスナー）８と係合させることによって、ドレス内着２の下半身の部分の外側にドレススカート３を装着する。
【００１９】
上記の如くウェディングドレス１を着用した新婦は、海辺での挙式や挙式後の写真撮影等に臨むことができる。そして、海に入る場合には、そのまま入ることも可能であるし、ドレススカート３を取り外してドレス内着２のみで入ることも可能である。図６は、ウェディングドレス１を着用した新婦が新郎とともに海に入った様子を示したものであり、ウェディングドレス１のドレススカート３は、チュールレース布地によって形成されており、きわめて柔軟性に富んでいる上、前方を開口した形状になっているので、新婦がドレス内着２とドレススカート３との両方を着用したまま泳ぐ場合でも、脚を動かす際に大きな負担とならない。一方、ウェディングドレス１のドレス内着２は、ウェットスーツと同一素材であり、独立気泡の存在によって高い浮力を発現するので、ドレススカート３を取り外した新婦は、容易に海中で泳ぐことができる。さらに、ドレススカート３を取り外した場合には、脚を動かす際の負担がより軽減される。  
【００２０】
＜ウェディング用衣服の効果＞
ウェディングドレス１は、上記の如く、複数の部分に分割可能になっており、内着であるドレス内着２が防水性の素材によって形成されているため、海辺での挙式等において新婦が着用したまま海に入った場合でも、損傷しにくい上、洗い易いため、繰り返して使用することができる。
【００２１】
また、ウェディングドレス１は、内側に着用されるドレス内着２と、そのドレス内着２に対して着脱可能な外着であるドレススカート３とからなり、ドレス内着２が防水性の素材によって形成されたものであるため、新婦がドレススカート３を取り外してドレス内着２のみで海に入れば、ドレススカート３の損傷を防止することができるので、より容易に繰り返し使用に供することができる。また、ドレススカート３のデザインを変えるだけで、容易にデザインのラインナップを増やすことができる。
【００２２】
さらに、ウェディングドレス１は、上記の如く、防水性の素材が、クロロプレンゴム製のシートである下地（ウェットスーツと同一素材）４の表層に、ポリウレタン弾性繊維からなる織布５を積層したものであり、素材の防水性が高いので、着用したまま海の中で泳いだりしてもきわめて損傷しにくい上、着用したまま長時間に亘って水に浸かった場合でも、体温の低下を招きにくい。その上、防水性の素材が伸縮性に優れており、激しい動きにも柔軟に対応できるので、長新婦が時間に亘って泳いだ場合でも、疲れが蓄積しにくい。加えて、ウェディングドレス１は、上記の如く、防水性の素材であるクロロプレンゴム製のシートである下地４が独立気泡を有したものであるので、浮力が非常に大きい上、きわめて保温性が高い。
【００２３】
＜ウェディング用衣服の変更例＞
本発明に係るウェディング用衣服は、上記実施形態の態様に何ら限定されるものではなく、ウェディングドレスとする場合には、ドレス内着、ドレススカート等の構成を、本発明の趣旨を逸脱しない範囲で、必要に応じて適宜変更することができる。
【００２４】
たとえば、本発明に係るウェディング用衣服は、ウェディングドレスとする場合には、上記実施形態の如く、Ａラインタイプのシルエットを有するものに限定されず、プリンセスライン、エンパイアライン、マーメイドライン、スレンダーライン等のＡラインタイプ以外のシルエットを有するものに変更することも可能である。また、本発明に係るウェディング用衣服は、上記実施形態の如く、前面を開口させたパレオスカート状のものに限定されず、ペプラムスカート、フィッシュテールスカート、ドレープスカート、フレアスカート等の形状を有するものでも良い。
【００２５】
また、本発明に係るウェディング用衣服は、上記実施形態の如く、一部が防水性の素材によって形成されているものに限定されず、全体が防水性の素材によって形成されているものでも良い。さらに、本発明に係るウェディング用衣服は、上記実施形態の如く、内着が一体であるものに限定されず、内着が複数のパーツに分割されたセパレートタイプのものでも良い。そのように内着をセパレートタイプのものとした場合には、結婚式や写真撮影等のＴＰＯに合わせた内着の各パーツのアレンジ（組み合わせ）が容易なものとなる、というメリットがある。
【００２６】
加えて、本発明に係るウェディング用衣服は、上記実施形態の如く、外着の係合部材（雄型の面ファスナー）を内着の被係合部材（雌型の面ファスナー）に係合させることによって、外着を内着に装着させるものに限定されず、外着が係合部材および被係合部材（雌雄の面ファスナー、スナップ等）を有しており、内着の外周で外着の係合部材と被係合部材とを係合させることによって外着を内着の外周に装着するもの等に変更することも可能である。
【００２７】
また、本発明に係るウェディング用衣服の内着の素材は、クロロプレンゴムからなる下地の上にポリウレタン弾性繊維からなる白色の織布を積層した積層体に限定されず、クロロプレンゴムからなる下地の表面および裏面にポリウレタン弾性繊維からなる織布を積層した三層以上の積層体、クロロプレンゴムからなる下地の表面および／または裏面にナイロン中空糸からなる織布を積層した二層あるいは三層以上の積層体や、発泡ポリウレタン（スポンジ）の表面および／または裏面に、主としてナイロン中空糸からなる織布を積層した二層あるいは三層以上の積層体等でも良い。なお、そのようにナイロン中空糸からなる織布を利用する場合には、ナイロン中空糸の形成材料として、遠赤外線を熱に変換する機能を備えた特殊ポリマーを練り込んだものを用いることも可能である。かかる構成を採用した場合には、ウェディング用衣服の内着は、太陽光を効率的に熱エネルギーに変換することが可能で非常に高い保温性を発現するものとなる。
【００２８】
また、本発明に係るウェディング用衣服の外着は、上記実施形態の如く、チュールからなるものに限定されず、サテン、オーガンジー、シャンタン、タフタ、ジョーゼット、シフォン、ジャガード等のチュール以外の織布からなるものに変更することが可能である。
【００２９】
加えて、本発明に係るウェディング用衣服は、上記実施形態の如きウェディングドレスに限定されず、結婚式や写真撮影等において新郎が着用するウェディングスーツ（上衣および／または下衣）等に変更することも可能である。
【産業上の利用可能性】
【００３０】
本発明に係るウェディング用衣服は、上記の如く優れた効果を奏するものであるので、海辺での結婚式や写真撮影の際に新婦が着用したまま海に入ることが可能なウェディング用衣服として好適に用いることができる。
【符号の説明】
【００３１】
１・・ウェディングドレス（ウェディング用衣服）
２・・ドレス内着（内着）
３・・ドレススカート（外着）
【図１】
2019065451.tif 000003
【図２】
2019065451.tif 000004
【図３】
2019065451.tif 000005
【図４】
2019065451.tif 000006
【図５】
2019065451.tif 000007
【図６】
2019065451.tif 000008